【事件の表示】
　特願２００７−５４５７６３「印刷機の印刷に用いるインキ供給量を設定するための印刷模擬方法及び装置，印刷機の絵柄色調制御方法及び装置，並びに印刷機」拒絶査定不服審判事件〔平成２０年　１月１７日国際公開、ＷＯ２００８／００７７４６〕について、次のとおり審決する。
【結　論】
　本件審判の請求は、成り立たない。
【理　由】
１．手続の経緯
　本願は、２００７年７月１２日（優先権主張２００６年７月１２日、日本国）を国際出願日とする出願であって、平成２０年３月３１日付け及び平成２０年７月１４日付けで手続補正がなされ、平成２０年７月１４日付け手続補正は、平成２１年２月１３日付けで補正却下されるとともに同日付けで拒絶査定がなされ、これに対し、同年３月２６日付けで拒絶査定に対する審判請求がなされるとともに、同年４月２７日付けで明細書及び特許請求の範囲についての手続補正がなされたものである。
　その後、平成２２年４月２日付けで、審判請求人に前置報告書の内容を示し意見を求めるための審尋を行ったところ、同年６月７日に回答書が提出された。
　
２．平成２１年４月２７日付けの手続補正についての補正却下の決定
［補正却下の決定の結論］
　平成２１年４月２７日付けの手続補正（以下、「本件補正」という。）を却下する。
［理由］
（１）補正後の本願発明
　本件補正は、特許請求の範囲についての補正を含んでおり、本件補正により、特許請求の範囲の請求項１は、
「印刷に用いる印刷機の印刷特性と前記印刷機で印刷される印刷絵柄のデータとを取得して、該印刷絵柄のデータを前記印刷機の印刷特性に作用させて、前記印刷機による発色を模擬した前記印刷絵柄の画像をモニタ画面に表示する印刷絵柄表示ステップと、
　前記印刷絵柄の見本を参照しながら前記モニタ画面に表示された絵柄の色調が前記印刷絵柄の見本の色調に近づくように、印刷時におけるインキ膜厚に対応するインキ色の濃度を調整することにより、前記モニタ画面に表示された絵柄の発色状態を補正する発色補正ステップと、をそなえている
ことを特徴とする、印刷機の印刷摸擬方法。」
から
「印刷に用いる
多色刷りの
各インキ色が混在した状態で
　
各インキ色が混在した
インキ供給単位幅毎に
変化させて
ことを特徴とする、印刷機の
印刷に用いるインキ供給量を設定するための
と補正された。（下線は補正箇所を示し、本件補正において付されたとおりである。）
　上記補正は、補正前の請求項１に記載した発明を特定するために必要な事項である「印刷機」について、「多色刷りの」と限定し、「印刷絵柄表示ステップ」の「モニタ画面」での表示内容について、「各インキ色が混在した状態で」と限定し、「印刷絵柄の見本」について、「各インキ色が混在した」と限定し、「発色補正ステップ」における「インキ色の濃度」の「調整」について、「インキ供給単位幅毎に」と限定し、「発色補正ステップ」における「モニタ画面に表示された絵柄の発色状態」の「補正」について、「変化させて」と限定し、「印刷摸擬方法」について、「印刷に用いるインキ供給量を設定するための」と明示的に限定したものであって、特許法第１７条の２第５項第２号の特許請求の範囲の減縮を目的とするものに該当する。
　
　そこで、本件補正後の請求項１に記載された発明（以下、「本願補正発明」という。）が特許出願の際独立して特許を受けることができるものであるか（特許法第１７条の２第６項において準用する同法第１２６条第５項の規定に適合するか）について以下に検討する。
　
（２）引用刊行物
　原査定の拒絶の理由に引用され、本願の優先日前に頒布された特開２００１−３４７６４５号公報（以下「刊行物」という。）には、以下の記載が図とともにある。
　ア．【請求項４】  
画像データに基づいて印刷用紙上に印刷を行う印刷装置における印刷パラメータを決定する印刷パラメータ決定方法において
暫定的な印刷パラメータを入力する入力工程と
前記入力された暫定的な印刷パラメータと前記画像データとに基づいて、前記印刷装置によって印刷用紙上に形成される画像を予想し、予想画像データを作成する予想画像データ作成工程と
前記予想画像データに基づいて予想画像を表示手段上に表示する予想画像表示工程と
前記表示手段上に表示された予想画像を参照して前記暫定的な印刷パラメータの適否を判断する判断工程とを備え
前記判断工程において、前記暫定的な印刷パラメータが不適であると判断された場合には該暫定的な印刷パラメータを修正し、前記暫定的な印刷パラメータが適切であると判断された場合には該暫定的な印刷パラメータを最終的な印刷パラメータとして印刷装置に供給する
印刷パラメータ決定方法
　イ．【０００３】従来は、図１５のような手順でインキ供給制御が行われていた。
【０００４】まず最初に印刷版を出力する（Ｓ１０）。
【０００５】次にプレートスキャナを用いて、印刷版の絵柄面積率を測定する（Ｓ２０）。すなわち、印刷装置で必要とされるインキの量は一枚の画像の中で均一ではないので、１枚の画像を複数の領域に分割し、各領域の絵柄面積率を測定することで、各領域毎において必要とされるインキ量を推定する。なお、絵柄面積率は、「単位面積における画線部の割合」であると定義できる。
【０００６】次に、ステップＳ２０で求めた絵柄面積率に基づき、インキつぼプリセット装置により印刷装置のインキキーをプリセットする（ステップＳ３０）。
【０００７】次に、印刷装置による印刷を開始する（Ｓ４０）。
【０００８】印刷装置から出力された印刷物は、色見台において濃度が測定され（ステップＳ５０）、所望の濃度で印刷されているかどうかが確認される（ステップＳ６０）。すなわち、予め校正機などにより準備しておいた基準となる
印刷物（ＯＫシート）と比較することにより印刷物が適正に印刷されているかどうかを確認する
【０００９】ステップＳ６０による比較結果に基づいて、印刷装置に装備されたインキキー制御装置を用いたインキキーの微調整を行い、印刷装置から適正な濃度の印刷物が出力されるように調整する（ステップＳ７０）。
【００１０】その後、必要枚数の印刷が完了するまで（ステップＳ９０）、サンプルとなる印刷物を所望のタイミングで抽出し（ステップＳ８０）、ステップＳ５０からステップＳ７０までの作業を行う。
　ウ．【００３２】なお、
本実施の形態の印刷装置では
４色の多色印刷が行
　エ．【００４２】
このインキ供給手段１０９では、前記インキキー１２１の開度調整によって、版胴の軸線方向（印刷方向に対し直交する方向）に沿って各色のインキ供給量を制御することができる。
　オ．【０１０５】［第２の実施の形態］次に、
第２の実施の形態
係る装置は、入力部１５から入力されるインキキー開度値の修正値を参照して、インキキー調整後に印刷される印刷画像の発色の程度を予想し、該予想画像をディスプレイ１４に表示するものである
【０１０６】図１１は、画像データ作成手段３からシュミレーション部３７に供給されるインキ供給量制御用の画像データｄ１を模式的に示すものである。画像データｄ１は、各インキ色ＣＭＹＫ毎に用意された画像データであって、画像を構成する複数の画素Ｐ１〜Ｐｎの濃度値の集合体である。
【０１０７】第２の実施の形態の構成を図１２により説明する。図１２は、第２の実施の形態に係る色見台１および印刷装置４の電気的構成を示すブロック図である。第１の実施の形態に係る色見台１と同一機能を果たす部材については、同一の符号を付して詳しい省略する。
【０１０８】シュミレーション部３７は、インキキー開度値と、印刷用紙におけるインキの発色の程度（測色値単位）と、画像信号とを対応づけた３次元のルックアップテーブルを含んでいる。
【０１０９】
印刷画像の各画素Ｐ１〜Ｐｎの印刷用紙における発色は、使用されるインキの色と、各画素Ｐ１〜Ｐｎの濃度値と、印刷されるときのインキキー開度値とに応じて決定される。
【０１１０】したがって、
版色毎に、インキキー開度値と画像データの濃度値と発色（測色値）とを対応づける関数（たとえばルックアップテーブル）を準備しておけば、インキ供給量の変化によって印刷用紙における発色がどのように変化するかを事前に予想することができる。
【０１１１】
ルックアップテーブルＬｃは、インキキー開度値と画像データの値（網％）とと、画素の発色とを対応づけたものである。
【０１１２】色変換プロファイルは３８は、シュミレーション部３７から出力された各画素Ｐ１〜Ｐｎに関する測色値を変換して第１画像表示領域１４ａに送出する手段である。色変換プロファイル３８は、ディスプレイ１４と印刷物とのカラーマッチングを実現するための手段であり、測色値と、該測色値でディスプレイ１４を発色させることのできる画像信号とを対応づけたメモリである。
【０１１３】図１３は、第２の実施の形態におけるインキキー調整手順を示すフローチャートである。  このインキキー調整作業は、先に図６を用いて説明した第１の実施の形態における印刷工程の一部、すなわち、図６におけるステップＳ２００「インキキー開度修正値を作成」する作業として行われる。
【０１１４】最初に、シュミレーション部３７に対して、印刷装置４の制御部１００からインキ供給手段１０９Ｃ、１０９Ｍ、１０９Ｙ、１０９Ｋの現在のインキキー開度値が供給される（ステップＳ２０１）。次に、シュミレーション部３７に対して、画像データ作成手段３からインキ供給量制御用の画像データｄ１が供給される（ステップＳ２０２）。
【０１１５】次のステップＳ２０３において、作業者は、版の色を入力部１５から指定することによって、インキキー開度値の調整対象となる版色を決定する。
【０１１６】シュミレーション部３７は、印刷装置４において現在使用中で、ステップＳ２０３で指定された版色（ここではＣ色が指定されているとする）に対応するルックアップテーブルＬｃを選択する。そして、この選択したルックアップテーブルＬｃに、印刷画像の各画素の濃度値と、各画素に対するインキキー開度値とを適用して、各画素についての印刷後の予想発色をＣＩＥ−ＬＡＢ単位で求める（ステップＳ２０４）。図１１ｂに示す画素Ｐ１を例にとると、この画素Ｐ１に対してはインキキー１２１Ｃ１からインキが供給されているから、このインキキー１２１Ｃ１の開度値がルックアップテーブルＬｃに適用される。
【０１１７】
シュミレーション部３７のルックアップテーブルＬｃで処理された画像データｄ１は、色変換プロファイル３８によって、ディスプレイ１４に適した画像信号に変換された後、ディスプレイ１４に送られ、図１４に示すような態様で表示される
【０１１８】
ディスプレイ１４の第１表示領域１４ａには、ステップＳ２０３で指定された版色（ここではＣ版）についての予想画像が表示される。
【０１１９】作
業者は、ディスプレイ１４の第１表示領域に表示される予想画像を見て、適正な発色かどうかを判断する
【０１２０】予想画像の全部または一部が適正に発色していないと判断されれば、ステップＳ２０７に進む。この工程では、
インキ供給量の暫定的な増減がインキキー毎に指示される。
【０１２１】
シュミレーション部３７は、ステップＳ２０７で入力された暫定的な指示に基づいて、各インキキーのインキキー開度値を修正して、画像データｄ１と共に、ルックアップテーブルＬｃに適用する
そして再び、予想画像を表示する
以後、適正な発色の予想画像がディスプレイ１４に表示されるまで、ステップＳ２０４からＳ２０７の工程を繰り返す
【０１２２】適正な発色の予想画像がディスプレイ１４に表示されると、ステップＳ２０６からステップ２０８に進む。
シュミレーション部３７は、最後に入力された暫定的なインキキー開度値に関する指示を確定的なインキキー開度値として印刷装置４の制御部１００に向けて送出する
【０１２３】次に、ステップＳ２０９に進む。この工程では、すべての版色に関するインキキー開度値が調整されたか否かが判断される。インキキー開度値の調整が行われていない版色が存在する場合には、ステップＳ２０３に進み、次の版色が入力部１５から指定される。
【０１２４】全ての版色についてのインキキー開度値の調整が完了すれば、ステップＳ２０９からＳ２１０に進む。印刷装置４の制御部１００は、ステップＳ２０８においてシュミレーション部３７から送出された各版色の確定のインキキー開度値に基づいて、各インキ供給手段１０９Ｃ、１０９Ｍ、１０９Ｙ、１０９Ｋの駆動ネジ（図示せず）を作動させて所望のインキが供給されるように設定する。
【０１２５】印刷装置４は、上記手順により適正量のインキが供給されるように設定されているので、試行錯誤の作業が不要で、即座に適正な発色の印刷物を出力することができる。このため、印刷用紙を無駄に使用することがない。また、調整作業に要する時間を短縮することができる。
　
　上記記載及び図面を含む刊行物全体の記載から、刊行物には、以下の発明が記載されていると認められる。
「画像データに基づいて印刷用紙上に印刷を行う印刷装置における印刷パラメータを決定する印刷パラメータ決定方法において、
暫定的な印刷パラメータを入力する入力工程と、
前記入力された暫定的な印刷パラメータと前記画像データとに基づいて、前記印刷装置によって印刷用紙上に形成される画像を予想し、予想画像データを作成する予想画像データ作成工程と、
前記予想画像データに基づいて予想画像を表示手段上に表示する予想画像表示工程と、
前記表示手段上に表示された予想画像を参照して前記暫定的な印刷パラメータの適否を判断する判断工程とを備え、
前記判断工程において、前記暫定的な印刷パラメータが不適であると判断された場合には該暫定的な印刷パラメータを修正し、前記暫定的な印刷パラメータが適切であると判断された場合には該暫定的な印刷パラメータを最終的な印刷パラメータとして印刷装置に供給する印刷パラメータ決定方法であって、
　前記印刷装置は、多色印刷が行え、インキ供給手段１０９では、インキキー１２１の開度調整によって、版胴の軸線方向（印刷方向に対し直交する方向）に沿って各色のインキ供給量を制御することができ、
　第２の実施の形態に係る装置は、入力部１５から入力されるインキキー開度値の修正値を参照して、インキキー調整後に印刷される印刷画像の発色の程度を予想し、該予想画像をディスプレイ１４に表示するものであり、
　印刷画像の各画素Ｐ１〜Ｐｎの印刷用紙における発色は、使用されるインキの色と、各画素Ｐ１〜Ｐｎの濃度値と、印刷されるときのインキキー開度値とに応じて決定され、
　版色毎に、インキキー開度値と画像データの濃度値と発色（測色値）とを対応づける関数（たとえばルックアップテーブル）を準備し、インキ供給量の変化によって印刷用紙における発色がどのように変化するかを事前に予想することができ、
　ルックアップテーブルＬｃは、インキキー開度値と画像データの値（網％）と、画素の発色とを対応づけたものであり、
　シュミレーション部３７のルックアップテーブルＬｃで処理された画像データｄ１は、色変換プロファイル３８によって、ディスプレイ１４に適した画像信号に変換された後、ディスプレイ１４に送られ、指定された版色についての予想画像が表示され、
　作業者は、ディスプレイ１４の第１表示領域に表示される予想画像を見て、適正な発色かどうかを判断し、インキ供給量の暫定的な増減がインキキー毎に指示され、
　シュミレーション部３７は、暫定的な指示に基づいて、各インキキーのインキキー開度値を修正して、画像データｄ１と共に、ルックアップテーブルＬｃに適用し、そして再び、予想画像を表示し、
　以後、適正な発色の予想画像がディスプレイ１４に表示されるまで、繰り返され、
　シュミレーション部３７は、最後に入力された暫定的なインキキー開度値に関する指示を確定的なインキキー開度値として印刷装置４の制御部１００に向けて送出する印刷装置における印刷パラメータを決定する印刷パラメータ決定方法。」（以下「引用発明」という。）
　
（３）対比
　ａ．本願補正発明と引用発明とを比較すると、引用発明の「『多色印刷が行え』る『印刷装置』」、「ルックアップテーブルＬｃ」、「画像データ」、「ルックアップテーブルＬｃで処理」、「『印刷装置によって印刷用紙上に形成される画像を予想し』た『予想画像データ』」、「『表示手段』或いは『ディスプレイ１４』」、「予想画像表示工程」、「インキ供給量の暫定的な増減がインキキー毎に指示され」及び「暫定的な指示に基づいて、各インキキーのインキキー開度値を修正して、画像データｄ１と共に、ルックアップテーブルＬｃに適用し、そして再び、予想画像を表示し」は、それぞれ本願補正発明の「印刷に用いる多色刷りの印刷機」、「印刷特性」、「印刷絵柄のデータ」、「印刷機の印刷特性に作用させ」、「印刷機による発色を模擬した前記印刷絵柄の画像」、「モニタ画面」、「印刷絵柄表示ステップ」、「印刷時におけるインキ膜厚に対応するインキ色の濃度をインキ供給単位幅毎に調整する」及び「モニタ画面に表示された絵柄の発色状態を変化させて補正する」に相当する。
　ｂ．引用発明は「暫定的な指示に基づいて、各インキキーのインキキー開度値を修正して、画像データｄ１と共に、ルックアップテーブルＬｃに適用し、そして再び、予想画像を表示」するものであるから、発色補正ステップを有しているものといえる。
　ｃ．引用発明は、「表示手段上に表示された予想画像を参照して前記暫定的な印刷パラメータの適否を判断」し、「前記暫定的な印刷パラメータが不適であると判断された場合には該暫定的な印刷パラメータを修正し、前記暫定的な印刷パラメータが適切であると判断された場合には該暫定的な印刷パラメータを最終的な印刷パラメータとして印刷装置に供給する」ものであるから、「印刷機の印刷に用いるインキ供給量を設定するための印刷摸擬方法」といえる。
　ｄ．上記ａないしｃから、本願補正発明と引用発明は、
「印刷に用いる多色刷りの印刷機の印刷特性と前記印刷機で印刷される印刷絵柄のデータとを取得して、該印刷絵柄のデータを前記印刷機の印刷特性に作用させて、前記印刷機による発色を模擬した前記印刷絵柄の画像をモニタ画面に表示する印刷絵柄表示ステップと、
　印刷時におけるインキ膜厚に対応するインキ色の濃度をインキ供給単位幅毎に調整することにより、前記モニタ画面に表示された絵柄の発色状態を変化させて補正する発色補正ステップと、をそなえている
印刷機の印刷に用いるインキ供給量を設定するための印刷摸擬方法。」
の点で一致し、以下の点で相違している。
［相違点１］印刷絵柄表示ステップにおけるモニタ画面の表示内容に関し、本願補正発明は「各インキ色が混在した状態で表示する」と特定されているのに対し、引用発明は「指定された版色についての予想画像が表示され」るものであって、「各インキ色が混在した状態で表示する」ものではない点。
［相違点２］発色補正ステップにおける補正に関し、本願補正発明は「各インキ色が混在した前記印刷絵柄の見本を参照しながら前記モニタ画面に表示された絵柄の色調が前記印刷絵柄の見本の色調に近づくように」と特定されているのに対し、引用発明は、本願補正発明のような補正をするとの明示がない点。
　
（４）判断
　上記相違点１及び２について検討する。
　ａ．刊行物のイに従来技術として「印刷物（ＯＫシート）と比較することにより印刷物が適正に印刷されているかどうかを確認する」と記載されているように、印刷において、印刷物（ＯＫシート）、即ち、多色印刷の場合は各インキ色が混在した印刷絵柄の見本の色調に近づけることが自明の課題である。
　ｂ．一方、モニタ画面に各色を混在した状態で多色の印刷物を表示することは、本願優先日前周知技術（原査定の拒絶の理由に引用された特開２００３−１２５２２２号公報、特開２００３−１２５２２４号公報参照。）である。
　ｃ．引用発明において、上記ａの課題を達成するべく、引用発明の予想画像が印刷絵柄の見本の色調に近づいているか否かを確認できるように、上記ｂの周知技術を適用し、モニタ画面に各色を混在した状態で表示し、本願補正発明の上記相違点１及び２に係る構成となすことは、当業者が容易になし得る程度のことである。
　
　以上のとおりであるから、本願補正発明の相違点１及び２に係る構成は、引用発明及び周知技術に基づいて当業者が容易に想到することができたものであり、それにより得られる効果も当業者が予測できる範囲のものである。
　
　したがって、本願補正発明は、引用発明及び周知技術に基づいて、当業者が容易に発明をすることができたものであるから、特許法第２９条第２項の規定により特許出願の際独立して特許を受けることができないものである。
　
（５）むすび
　以上のとおり、本件補正は、特許法第１７条の２第６項において準用する同法第１２６条第５項の規定に違反するので、同法第１５９条第１項の規定において読み替えて準用する同法第５３条第１項の規定により却下すべきものである。
　
３．本願発明について
　平成２１年４月２７日付けの手続補正は上記のとおり却下されたので、本願の請求項１〜２８に係る発明は、平成２０年３月３１日付け手続補正後の明細書及び図面からみて、その特許請求の範囲の請求項１〜２８に記載された事項により特定されるとおりのものと認められるところ、その請求項１に係る発明（以下、「本願発明」という。）は、次のとおりである。
　
「印刷に用いる印刷機の印刷特性と前記印刷機で印刷される印刷絵柄のデータとを取得して、該印刷絵柄のデータを前記印刷機の印刷特性に作用させて、前記印刷機による発色を模擬した前記印刷絵柄の画像をモニタ画面に表示する印刷絵柄表示ステップと、
　前記印刷絵柄の見本を参照しながら前記モニタ画面に表示された絵柄の色調が前記印刷絵柄の見本の色調に近づくように、印刷時におけるインキ膜厚に対応するインキ色の濃度を調整することにより、前記モニタ画面に表示された絵柄の発色状態を補正する発色補正ステップと、をそなえている
ことを特徴とする、印刷機の印刷摸擬方法。」
　
（１）引用刊行物
　原査定の拒絶の理由に引用された刊行物及びその記載事項は、前記「２．（２）」に記載したとおりである。
　
（２）対比・判断
　本願発明は、前記２．で検討した本願補正発明から「印刷機」についての限定事項である「多色刷りの」との構成を省き、「印刷絵柄表示ステップ」の「モニタ画面」での表示内容についての限定事項である「各インキ色が混在した状態で」との構成を省き、「印刷絵柄の見本」についての限定事項である「各インキ色が混在した」との構成を省き、「発色補正ステップ」における「インキ色の濃度」の「調整」についての限定事項である「インキ供給単位幅毎に」との構成を省き、「発色補正ステップ」における「モニタ画面に表示された絵柄の発色状態」の「補正」についての限定事項である「変化させて」との構成を省き、「印刷摸擬方法」についての限定事項である「印刷に用いるインキ供給量を設定するための」との構成を省いたものである。
　そうすると、本願発明の発明を特定する事項を全て含み、さらなる限定を付加したものに相当する本願補正発明が、前記「２．（４）」に記載したとおり、引用発明及び周知技術に基づいて、当業者が容易に発明をすることができたものであるから、本願発明も、同様の理由により、引用発明及び周知技術に基づいて、当業者が容易に発明をすることができたものである。
　
（３）むすび
　以上のとおり、本願発明は、引用発明及び周知技術に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。